(57)【特許請求の範囲】
【請求項１】
輸液チューブを閉塞する閉塞状態と輸液チューブを閉塞しない解除状態の間で変形可能であり、輸液装置に装着されるクランプであって、第１脚部と、第２脚部と、一端が第１脚部と連続的に形成され他端が第２脚部と連続的に形成された第１弾性部とを有してなり、第１弾性部は第２脚部を第１脚部に近づけるよう弾性変形しうるものであり、
前記第１脚部には輸液チューブを挿通させる孔部を有するチューブ挿通部と、前記チューブ挿通部の孔部に挿通された輸液チューブを閉塞するためのチューブ閉塞面とが設けられてなり、前記第２脚部には前記チューブ閉塞面と協働して輸液チューブを閉塞するためのチューブ閉塞突部が設けられてなり、
前記チューブ挿通部の孔部は輸液チューブが孔部に挿通させられたときに、輸液チューブが第１脚部の長さ方向の軸と第２脚部の長さ方向の軸とで形成される平面に対して垂直な方向に配置されており、
さらにクランプの閉塞状態を維持するための係合手段として、第２脚部には第１脚部と係合するための係合突起が設けられ、第１脚部の中間部には前記係合突起の先端部を貫通させてその後部面を係合しうる係合孔と、前記係合孔から突出する前記係合突起を覆うための保護カバーが設けられてなり、
前記係合突起を第１脚部長さ方向へ押圧することで、前記係合突起と前記係合孔との係合が解除され、閉塞状態から解除状態に変形することを特徴とするクランプ。
【請求項２】
前記保護カバーは、第１脚部の係合孔から突出する係合突起を、先端部のみが突出するように覆うものである請求項１に記載のクランプ。
【請求項３】
前記保護カバーは、係合孔２７の周縁に立設される対向する２枚の板部材である請求項２に記載のクランプ。
【請求項４】
前記第１脚部の第１弾性部２３が連続的に形成される端部とは反対側の端部には、操作者が把持可能な把持部が設けられてなり、前記把持部は保護カバーと離間した位置にあることを特徴とする請求項１〜３のいずれかに記載のクランプ。
【請求項５】
前記第２脚部に設けられる係合突起は、第１脚部に設けられる係合孔に向かって突出する基部と、基部の先端部外周面に設けられる先端から基端に向かって外方向へ突出する傾斜部と、傾斜部の基端側に基部の長さ方向に対して垂直に設けられる後部面とからなり、前記基部は基端が第２弾性部を介して第２脚部に接続されており、前記後部面が係合孔の縁部と係合することによりクランプは輸液チューブを閉塞した状態を維持するものである請求項１〜４のいずれかに記載のクランプ。
【請求項６】
前記チューブ挿通部は、輸液チューブの側面を完全に包囲するリング状の部材である請求項１〜５のいずれかに記載のクランプ。
【発明の詳細な説明】
【技術分野】
【０００１】
本発明は、輸液ポンプによって押圧されることで送液が行われる輸液チューブの途中部位に設けられるクランプである。
【背景技術】
【０００２】
輸液チューブ内を通る液を移送するために輸液チューブを押圧するポンプ機構を備えた輸液装置としては、個別に駆動される複数のフィンガにより輸液チューブを順次押圧する蠕動式ポンプ機構を備えた輸液装置が知られている。蠕動式ポンプ機構を備えた輸液装置は、一般的にはフィンガとフィンガを駆動する駆動手段とからなるポンプ機構を備えたハウジング、およびハウジングに開閉自在に係止されたドアから構成されている。輸液を開始する際には、ドアが開かれた状態で、輸液チューブの途中部位をハウジングに設けられた溝部内に装着した後、ドアを閉じてハウジングとドアとの係止状態を固定する。このとき、輸液チューブは、ハウジングに備えられた複数のフィンガと、ドアに固定された押圧板との間で不動状態に挟持される。次いで駆動手段を作動させることにより、フィンガが蠕動運動を開始し、前記フィンガにより輸液チューブがしごかれて内部の液を移送させることで輸液が行われる。
【０００３】
このような輸液装置により輸液を行った後、輸液チューブ内または輸液チューブの上流に接続された輸液バッグ内に残留液が存在している場合がある。この場合、輸液装置から輸液チューブを取り外す際に輸液チューブの一部が閉塞されていないと、残留液が重力により落下し患者に急速に投与されるフリーフローと呼ばれる現象が発生するおそれがあり問題視されている。フリーフローの発生により、残留液の種類によっては患者に悪影響を及ぼすこともあり、輸液チューブには輸液チューブの一部を閉塞するために手動で操作するローラークランプ等が予め取り付けられている。しかし、輸液装置の操作者がクランプを閉め忘れた状態で輸液チューブを輸液ポンプから取り外してしまうおそれもあり、フリーフロー対策としては十分ではない。
【０００４】
また、輸液装置には、ドアが開放されている状態では輸液チューブを閉塞し、ドアが閉鎖されている状態では輸液チューブの閉塞を解除するクランプ機構も設けられている。しかし、このようなクランプ機構は輸液チューブを取り外す際に輸液チューブの閉塞を手動で解除する必要があり、やはりフリーフローを防止するためにはローラークランプを閉鎖しなければならない。そこで、輸液装置の操作者の過失によらず、輸液チューブを取り外す際には自動的にチューブの一部が閉鎖されるアンチフリーフロー機構の開発が進んでいる。
【０００５】
例えば、輸液チューブの外径よりも大径の孔部と輸液チューブの外径よりも小径の孔部が連続して形成されたスライドクランプを利用したアンチフリーフロー機構が公知である（例えば、特許文献１参照。）。前記アンチフリーフロー機構は、スライドクランプの小径孔部に輸液チューブを配置させて輸液チューブを閉塞した状態で、輸液チューブをスライドクランプごと輸液装置に装着する。輸液装置のドアが閉鎖されると、スライドクランプがスライドして輸液チューブはスライドクランプの大径孔部に配置され、輸液チューブの閉塞が解除されて輸液が開始される。輸液終了後に輸液装置のドアを開放すると、スライドクランプが再びスライドして輸液チューブはスライドクランプの小径孔部に配置されるため、輸液チューブを閉塞した状態で輸液装置から取り外すことができる。このような機構により、操作者の過失によらず輸液チューブを取り外す際のフリーフローを防止することが可能である。しかし、スライドクランプはチューブとの相対運動を生じるためにチューブが摩耗し、チューブの破裂や輸液の漏出を生じるおそれがある。
【０００６】
そこで、スライドクランプを利用しないアンチフリーフロー機構が開発されている（例えば、特許文献２参照）。このアンチフリーフロー機構は、可撓性樹脂から一体成形された係合手段を有するクランプを利用している。前記クランプは、内部空間に輸液チューブを挿通した後に、係合手段により輸液チューブが閉塞された状態を維持することができ、係合手段を解除する押圧面を押圧することで輸液チューブの閉塞を解除することができるものである。輸液を行う際には、前記クランプにより輸液チューブを閉塞した状態で、輸液チューブをクランプごと輸液装置に装着する。輸液装置のドアを閉鎖すると、ドアによってクランプの押圧面が押圧され、輸液チューブの閉塞が解除されて輸液が開始される。輸液終了後は、輸液装置のドアを開放することにより再度係合手段が輸液チューブを閉塞し、輸液チューブの輸液装置からの取り外しが可能となる。しかし、前記クランプは、スライドクランプのようなチューブの破裂や輸液漏出のおそれはないが、クランプの押圧面が外周面に存在するため、クランプの落下等によって輸液チューブの閉塞が容易に解除されてしまうおそれがある。
【０００７】
前記クランプをさらに改良したものとして、押圧面が外周面よりも奥側に存在するクランプも提案されている（例えば、特許文献３参照）。しかしながら、このクランプも、輸液装置のドアを閉鎖することによって、クランプによる輸液チューブの閉塞を解除する構成を有しているため、押圧面はクランプを輸液装置に装着する際に操作者による把持部の上下面に設けられている。したがって、クランプの落下時にチューブの閉塞が解除されてしまう危険性が完全には排除されておらず、また操作者が誤って不必要な状況でチューブの閉塞を解除してしまうおそれもあった。
【０００８】
【特許文献１】特開２００１−２５５０５号公報
【特許文献２】特開２００４−７３８２２号公報
【特許文献３】特開２００６−１１５９１６号公報
【発明の開示】
【発明が解決しようとする課題】
【０００９】
本発明の目的は、上記問題を解決するために、クランプの落下時や操作者の過失によって不必要に輸液チューブの閉塞が解除されるおそれのない、輸液装置のアンチフリーフロー機構にも対応しうるクランプを提供することを目的としている。
【課題を解決するための手段】
【００１０】
本発明者は、鋭意検討を行った結果、輸液チューブを閉塞するための係合手段を備えたクランプであって、輸液チューブの閉塞を解除するための押圧面を操作者による把持部から離間した位置に設け、なおかつ必要に応じて容易に解除可能な形状とすることにより、上記課題を解決しうることを見出し、本発明に到達した。
【００１１】
すなわち本発明は、
（１）  輸液チューブを閉塞可能なクランプであって、第１脚部と、第２脚部と、一端が第１脚部と連続的に形成され他端が第２脚部と連続的に形成された第１弾性部とを有してなり、第１弾性部は第２脚部を第１脚部に近づけるよう付勢されうるものであり、
前記第１脚部には輸液チューブを挿通させる孔部を有するチューブ挿通部と、前記チューブ挿通部の孔部に挿通された輸液チューブを閉塞するためのチューブ閉塞面とが設けられてなり、
前記第２脚部には前記チューブ閉塞面と協働して輸液チューブを閉塞するためのチューブ閉塞突部が設けられてなり、
さらに第２脚部には、クランプが輸液チューブを閉塞した状態を維持するように第１脚部と係合するための係合突起が設けられ、第１脚部の中間部には前記係合突起の先端部を貫通させてその後部面を係合しうる係合孔が設けられてなることを特徴とするクランプ、
（２）  前記第１脚部には、係合孔から突出する係合突起を覆うための保護カバーが設けられてなる（１）記載のクランプ、
（３）  前記保護カバーは、第１脚部の係合孔から突出する係合突起を、先端部のみが突出するように覆うものである（２）記載のクランプ、
（４）  前記保護カバーは、係合孔２７の周縁に立設される対向する２枚の板部材である（２）または（３）に記載のクランプ、
（５）  前記第１脚部の第１弾性部２３が連続的に形成される端部とは反対側の端部には、操作者が把持可能な把持部が設けられてなることを特徴とする（２）〜（４）のいずれかに記載のクランプ、
（６）  前記第２脚部に設けられる係合突起は、第１脚部に設けられる係合孔に向かって突出する基部と、基部の先端部外周面に設けられる先端から基端に向かって外方向へ突出する傾斜部と、傾斜部の基端側に基部の長さ方向に対して垂直に設けられる後部面とからなり、前記基部の基端は第２弾性部を介して第２脚部に接続されており、前記後部面が係合孔の縁部と係合することによりクランプは輸液チューブを閉塞した状態を維持するものである（１）〜（５）のいずれかに記載のクランプ、
（７）  前記チューブ挿通部は、輸液チューブの側面を完全に包囲するリング状の部材である（１）〜（６）のいずれかに記載のクランプ
に関する。
【発明の効果】
【００１２】
本発明のクランプは、輸液チューブが閉塞された状態を維持するための係合手段が、第２脚部に設けられた係合突起と、第１脚部の中間部に設けられた係合突起を貫通させてその後部面を係合しうる係合孔とからなり、係合突起の先端はクランプを操作する操作者が把持しない部分に配置されるため、操作者が操作時に誤ってクランプによる閉塞を解除してしまうおそれがない。
また、本発明のクランプは、第１脚部に係合孔から突出する係合突起の先端部を覆うための保護カバーを設けることにより、クランプの落下等によりクランプによる輸液チューブの閉塞が不必要に解除されるおそれがない。
また、本発明のクランプは、保護カバーが係合孔から突出する係合突起を、先端部のみが突出するように覆うことにより、必要に応じて容易にクランプによる輸液チューブの閉塞を解除することが可能である。
また、本発明のクランプは、保護カバーが係合孔の周縁に立設される対向する２枚の板部材とすることにより、操作者が意図的に手動でクランプによる輸液チューブの閉塞を解除することも可能である。
また、本発明のクランプは、第１脚部の保護カバーと離間した位置に把持部を設けることにより、操作者が操作時に誤ってクランプによる輸液チューブの閉塞を解除する可能性をより低減させることができる。
また、本発明のクランプは、係合突起が傾斜部と後部面とを有し、前記後部面が係合孔の縁部と係合する形状とすることにより、クランプの落下等によりクランプによる輸液チューブの閉塞が解除される可能性をより低減させることができる。
さらに、本発明のクランプは、輸液チューブの側面を包囲するリング状のチューブ挿通部を設けたことにより、専用輸液チューブ以外のチューブをセットすることによる輸液装置の誤作動や、輸液チューブがクランプから脱落することを未然に防止することができる。
【発明を実施するための最良の形態】
【００１３】
以下、図面を用いて本発明の好ましい実施態様を詳細に説明するが、本発明はこれらに限定されるものではない。
【００１４】
図１および図２は本発明の一実施例であるクランプ１を二つの方向から見た斜視図であり、図３はクランプ１の解除状態の上部平面図、図４はクランプ１の閉塞状態の上部平面図である。また、図５は本発明の他の実施例であるクランプの閉塞状態の上部平面図である。
図１に示されるように、クランプ１は、平板状の第１脚部２１および第２脚部２２と、弓状に反った平板状の第１弾性部２３とを有してなる。前記第１脚部２１、第２脚部２２および第１弾性部２３は、いずれもその長さ方向の全長が幅方向の長さよりも長く設定されている。第１弾性部２３の長さ方向の一端には第１脚部２１の長さ方向の一端が、他端には第２脚部２２の長さ方向の一端が連続的に形成されている。第１脚部２１の長さ方向の軸と第２脚部２２の長さ方向の軸とは同一平面上に配置されており、前記第１脚部２１、第２脚部２２および第１弾性部２３とで内部空間２４を形成している。内部空間２４は、図４に示されるように第１弾性部２３が弾性変形して第２脚部２２が第１脚部２１に近づくことにより小さくなり、図３に示されるように第１弾性部２３が自然状態に戻って第２脚部２２が第１脚部２１から遠ざかることにより大きくなる。
【００１５】
前記第１脚部２１の内部空間２４側の面には、図２に示されるように、後述するチューブ閉塞突部２２１と協働することによって輸液チューブの一部を閉塞するためのチューブ閉塞面２５１が形成されている。チューブは、後述するチューブ挿通部２５２に挿通された輸液チューブの長さ方向の軸と平行に配置される平面である。
【００１６】
前記チューブ閉塞面２５１上には、さらに内部空間２４に向かって突出するチューブ挿通部２５２が設けられる。チューブ挿通部２５２は、図６に示すようにクランプ１を輸液セット３に装着する際、輸液チューブを挿通するためのものである。
チューブ挿通部２５２は輸液チューブの外径と同じか、あるいは外径よりもわずかに大きい径を有する貫通する孔部２５３を有し、その孔部２５３に輸液チューブがクランプ１の使用に先立って挿通される。前記チューブ挿通部２５２の孔部２５３は、輸液チューブが孔部２５３に挿通させられたときに、輸液チューブが第１脚部２１の長さ方向の軸と第２脚部２２の長さ方向の軸とで形成される平面に対して垂直な方向に配置されるように設けられていることが好ましい。
前記チューブ挿通部２５２は、輸液チューブの側面を完全に包囲し、輸液チューブが輸液チューブの長さ方向軸に対して垂直な方向に脱落しない形状であれば特に限定されない。チューブ挿通部２５２としては、例えば図１に示されるように、４つの側壁から構成される四角形のリング状のものや、輸液チューブの外周面に沿う円形リングが採用される。リングを構成する側壁うち第１脚部２１側の側壁は、チューブ閉塞面２５１の一部であってもよいし、側壁全てがチューブ閉塞面２５１とは別に第1脚部２１に形成されていてもよい。
【００１７】
輸液装置では輸液を精度良く行うために、予めセットされる専用輸液チューブの寸法がインプットされている。したがって、専用輸液チューブ以外のチューブをセットして輸液を行う場合は、輸液流量やスピード、輸液チューブの閉塞検知圧、気泡検知などに誤差が生じ、患者に危険を及ぼすおそれがある。本発明のクランプ１は、前記チューブ挿通部２５２を設けたことにより、輸液セットの組み立て時に予め専用輸液チューブをチューブ挿通部２５２の孔部２５３に挿通させておくものである。これにより、本発明のクランプ１は輸液セットに専用輸液チューブ以外のチューブをセットして使用されるおそれがなく、また輸液セットの使用時に輸液チューブがクランプ１から脱落するおそれもない。また、使用者がクランプを別の輸液セットに取り付けて再利用した場合に考えられる、クランプの変形や輸液セットへの不完全な装着などの問題も未然に防ぐことができる。
【００１８】
前記第２脚部２２の内部空間２４側の面には、前述したチューブ閉塞突部２２１が内部空間２４に向かって突出するよう設けられている。チューブ閉塞突部２２１は、前記第１弾性部２３が付勢されて第２脚部２２が第１脚部２１に近づくことにより、第１脚部２１に設けられるチューブ閉塞面２５１と協働することによって、チューブ挿通部２５２に挿通された輸液チューブを閉塞するためのものである。チューブ閉塞突部２２１は、チューブを確実に閉塞できるものであれば形状は限定されないが、好ましくは図示されるようにチューブの外径よりも長い頂部を有するくさび形突起が、頂部が第２脚部２２の長さ方向の軸と平行に配置されるよう形成されたものである。
チューブ閉塞突部２２１とチューブ閉塞面２５１とは、図４に示されるように、第１弾性部２３の弾性変形により最大限近づいた時に、チューブ挿通部２５２に挿通される輸液チューブの肉厚の２倍の距離、あるいはその距離よりも若干短い距離を隔てた状態に配置されることが、輸液チューブを破損することなく確実に閉塞できて好ましい。
【００１９】
このように本発明で用いられるクランプ１は、図４に示される輸液チューブを閉塞する閉塞状態と、図３に示される輸液チューブを閉塞しない解除状態の間で変形可能であるが、前記第２脚部２２には、図４に示されるクランプ１の閉塞状態を維持するための係合手段が設けられる。前記係合手段としては、例えば、図１に示されるように第２脚部２２の長さ方向の端部であって、第１弾性部２３が連続的に形成される端部とは反対側の端部より延設された係合突起２６と、第１脚部２１の中間部に設けられた係合孔２７とから構成される係合手段があげられる。
【００２０】
前記係合突起２６は、第１脚部２１の長さ方向の軸と第２脚部２２の長さ方向の軸とで形成される平面内であって、第１脚部２１の係合孔２７に向かって突出する基部２６１と、基部２６１の先端部であって内部空間２４とは反対側の面に設けられる先端から基端に向かって外方向へ突出する傾斜部２６２と、傾斜部２６２の基端側に基部２６１の長さ方向に対して垂直に設けられる後部面２６３とから構成される。基部２６１の基端部は、弓状に反った平板状の第２弾性部２６４を介して第２脚部２２に接続されている。第２弾性部の弾性変形により、係合突起２６は第１脚部２１の長さ方向の軸と第２脚部２２の長さ方向の軸とで形成される平面内で、内部空間２４側へ撓むことが可能である。一方、係合孔２７は係合突起２６を貫通させることができる径を有する孔であり、前記係合突起２６の後部面２６３が係合可能な縁部を有している。
【００２１】
図３に示されるように、第１弾性部２３が弾性変形していないクランプ１の自然状態では、チューブ閉塞突部２２１とチューブ閉塞面２５１とは離間しており、チューブ閉塞突部２２１は輸液チューブの外周面に接しない位置に配置される。この状態では、係合突起２６もまた係合孔２７から離れた位置に配置されている。第１弾性部２３が弾性変形されて第２脚部２２が第１脚部２１に近づいていくと、係合突起２６の傾斜部２６２は係合孔２７の縁部に当接する。さらに第２脚部が第１脚部に近づくと、第２弾性部２６４の弾性変形により係合突起２６が内部空間２４側へ撓むことで傾斜部２６２が完全に係合孔２７を通過する。そして、図４に示されるように係合突起２６の後部面２６３が係合孔２７を通過すると、第２弾性部２６４は弾性変形していない自然状態に戻り、後部面２６３が係合孔２７の縁部と係合して、クランプ１は閉塞状態を維持するよう係止される。
【００２２】
クランプ１が図３に示される解除状態から図４に示される閉塞状態まで変形する間、チューブ挿通部２５２に挿通された輸液チューブが位置ずれすることなくチューブ閉塞突部２２１とチューブ閉塞面２５１とで閉塞されるよう、チューブ閉塞面２５１には、さらにチューブ案内板２５４が設けられてもよい。チューブ案内板２５４は、チューブ挿通部２５２に挿通された輸液チューブの外周面に接するよう、チューブ閉塞面２５１上に第１脚部２１の長さ方向の軸に対して垂直に立設される。チューブ案内板２５４は、図２および図３に示されるように、チューブ挿通部２５２に挿通される輸液チューブの両側に配置されるよう二つ設けられることが好ましい。さらに、図４に示されるように、クランプ１の閉塞状態では、一方はチューブ閉塞突部２２１よりも上部に配置され、他方はチューブ閉塞突部２２１よりも下部に配置されるよう設けられることが、輸液チューブの位置ずれを効果的に防止できより好ましい。
【００２３】
クランプ１の閉塞状態を維持するための係合手段は、クランプ１の落下や操作者の誤操作によって係合が解除されず、輸液装置にセットされて輸液を行う際や操作者が輸液チューブ内の気泡を排出するなどの操作を行う際には係合が解除される必要がある。前記係合手段は、図４に示されるクランプ１の閉塞状態で、係合孔２７から突出する係合突起２６の傾斜部２６２が第１脚部２１の長手方向に第１弾性部２３側へ押圧されることにより、弾性変形した第１弾性部２３が自然状態に戻ることによって図３に示されるクランプ１の解除状態に戻り、係合が解除される。傾斜部２６２の傾斜角度を大きくし、後部面２６３の面積を拡大することにより、その係合は強固になり、係合を解除するために必要な押圧力も大きくなる。したがって、不必要な係合解除を容易に防止することが可能である。
【００２４】
さらに、不必要な係合解除をより確実に防止しうるよう、第１脚部２１の係合孔２７の周囲には、第１脚部２１の内部空間２４とは反対側の面、すなわち外側の面に立設される保護カバー２８が設けられてもよい。保護カバー２８は、図４に示されるクランプ１の閉塞状態で係合孔２７から突出する係合突起２６を、係合解除のトリガーとなる傾斜部２６２の先端部のみが突出するように覆うものであるか、あるいは図５に示されるように傾斜部２６２が突出しないように完全に覆うものであることが好ましい。また、前記保護カバー２８は、必要時の係合解除操作を容易にするためには、係合孔２７の周縁全部に設けられるものではなく、係合孔２７の周縁の一部に設けられることが好ましい。具体的には、図１に示されるように係合孔２７の第１脚部２１幅方向両側縁部にのみ立設される、対向する２枚の板部材からなる保護カバー２８がより好ましい。
【００２５】
また、前記第１脚部２１の第１弾性部２３が形成される端部とは反対側の端部に、操作者が把持しうる把持部２９を形成してもよい。前記把持部２９が第１脚部２１の保護カバー２８から離間した位置に設けられることにより、その操作の際に操作者が誤って保護カバー２８内に配置される係合突起２６の傾斜部２６２を押圧してクランプ１の係合手段の係合を解除してしまうおそれがない。把持部２９の表面には、滑り止めのリブ２９１等を設けてもよい。
前記把持部２９は、クランプ１が後述するように輸液装置に装着され、アンチフリーフロークランプとして機能する場合は、輸液装置に設けられる部材によってクランプ１の係合手段の係合を解除する操作を阻止することのないよう、可能な限り薄い部材であることが好ましい。
【００２６】
前記第１脚部２１および第２脚部２２には、撓み防止部２１１および２２２が設けられてもよい。第１脚部２１に設けられる撓み防止部２１１は、第１脚部２１の内部空間２４側の面であってチューブ閉塞面２５１よりも第１曲げ弾性部２３側に立設される。また第２脚部２２に設けられる撓み防止部２２２は、第２脚部２２の内部空間２４側の面であってチューブ閉塞突部２２１よりも第１曲げ弾性部２３側に立設される。前記撓み防止部２１１および２２２は、図３に示されるクランプ１の解除状態では、互いに当接することなく離間しており、図４に示されるクランプ１の閉塞状態では、互いに摺接しながら接近し、重なった状態で配置される。これにより、クランプ１は第１脚部２１と第２脚部２２が互いに輸液チューブの長手方向に位置ずれして、クランプ閉塞手段や係合手段の動作を阻害することなく、輸液チューブを確実に閉塞し、またその状態を維持することができる。
【００２７】
前記クランプ１は、全体がポリアセタール、ポリプロピレン、ポリエチレン、ＡＢＳなどの合成樹脂等から構成されるものであり、射出成形等により一体成形して形成されることが好ましい。
【００２８】
本発明のクランプ１の操作方法について以下に説明する。
まず、クランプ１は使用される前に、あらかじめチューブ挿通部２５２に専用の輸液チューブ３１が挿通され、図６に示されるような輸液セット３の一部品として準備される。一般的な輸液セット３は、輸液チューブ３１の一端に輸液バッグ（図示せず）に接続する接続針３２（図６では保護キャップが装着されている）が設けられ、輸液チューブ３１の中程には点滴筒３３およびローラークランプ３４が、輸液チューブ３１の他端には注射針や三方活栓、延長チューブ等に接続されるためのコネクター３５が設けられて構成される。さらに輸液セット３には、輸液容器内の圧変化を抑制するためのエアフィルター３６や、図示されないが異物除去フィルターや混注管などの付属部品が必要に応じて設けられる。本発明のクランプ１は、輸液チューブ３１の中間部位で、点滴筒３３とローラークランプ３４の間に配置されることが好ましい。このとき、クランプ１は図３に示される解除状態で配置されるため、輸液セット３を長期保存した場合も輸液チューブ３１が変形したり、破損したりするおそれがない。
【００２９】
クランプ１によって輸液チューブを閉塞する際には、操作者が第１脚部２１の内部空間２４側とは反対側、すなわち外側の面と、第２脚部２２の外側の面とを保持し、両者を接近させるように押圧する。この押圧により、第１弾性部２３が弾性変形して第２脚部２２は第１脚部２１へと近づき、それと同時に係合突起２６が係合孔２７を通過する。係合突起２６の後部面２６３が係合孔２７を通過して係合孔２７の縁部と係合すると、弾性変形していた第２弾性部２６４が自然状態に戻り、その際に発生する小さな衝撃がクランプ１を通じて操作者に伝達される。操作者が直接クランプ１を押圧する場合は、その小さな衝撃を感じた時点で押圧を中止することで、クランプ１は図４に示される閉塞状態を維持される。この状態では、輸液チューブはチューブ閉塞面２５１とチューブ閉塞突部２２１とで完全に閉塞されるため、輸液は流通し得ない。
【００３０】
クランプ１による輸液チューブの閉塞を解除する場合は、操作者が係合突起２６の傾斜部２６２を第１脚部２１長さ方向の第１弾性部２３側へ押圧する。係合突起２６の後部面２６３と係合孔２７の縁部との係合が外れると、第２脚部２２は弾性変形した第１弾性部２３が自然状態に戻ることによって第１脚部２１から離間し、係合突起２６と係合孔２７との係合は解除され、クランプ１は図３に示される解除状態になる。これにより、チューブ閉塞面２５１とチューブ閉塞突部２２１とによる輸液チューブの閉塞も解除される。
操作者はクランプ１の第１脚部２１および第２脚部２２の外側の面を把持部２９を把持した状態で操作することになるが、前記把持部２９は係合突起２６を覆う保護カバー２８から離間しているため、輸液チューブの閉塞解除を意図しない場合に、操作者が誤って傾斜部２６２に触れて係合突起２６と係合孔２７との係合が解除されるおそれはない。
【００３１】
前記クランプ１の押圧は、操作者の手指で行われる必要はなく、輸液装置に設けられる押圧手段等によって、機械的に行われるものであってもよい。クランプ１を後述するような輸液装置に装着する場合は、クランプ１が輸液装置内に装着された状態を保持するために、第１脚部２１の長さ方向側面には、長さ方向に伸びるリブ２１２が形成されていても良い。
【００３２】
本発明のクランプ１は、輸液装置に装着することにより、輸液チューブを取り外す際に自動的に輸液チューブの一部を閉鎖するアンチフリーフロークランプとして機能させることが可能である。以下にその輸液装置の具体例について説明する。
図７は、本発明のクランプ１を装着可能な輸液装置の一例を示す説明図である。図７に示されるように、輸液装置４はハウジング４１とドア部材４２により構成されており、ドア部材４２はヒンジ４２１等によりハウジング４１に開閉自在に係止されている。ハウジング４１には、溝等で構成されるチューブ装着部４１１が設けられており、このチューブ装着部４１１に輸液チューブを装着してからドア部材４２を閉鎖することによって、輸液チューブをハウジング４１とドア部材４２とで狭持する。ハウジング４１およびドア部材４２には、輸液チューブが装着されてドア部材４２が閉鎖された状態を保持するため、ドアレバー４２２とフック４１２からなるロック機構が設けられている。
【００３３】
前記ハウジング４１には、複数のフィンガと、フィンガを蠕動運動させるべく駆動させるための駆動手段とを備えたポンプ機構４１３が備えられてなる。ポンプ機構４１３の詳細については説明を省略するが、公知のフィンガポンプのポンプ機構を採用することができる。輸液装置４にはこの他にも、例えばポンプ機構４１３の上流側に輸液チューブ内の気泡検知を行う気泡センサー４１４を、ポンプ機構４１３の上流側および／または下流側に閉塞検知手段４１５とチューブ押さえ部材４２３とから構成され輸液チューブの閉塞状態を検知のするための閉塞センサーを、ポンプ機構４１３の下流側にドア部材４２が開放された状態では自動的に輸液チューブを閉塞しうるクランプ機構４１６を設けることができる。また、前記ドア部材４２には、ポンプ機構４１３のフィンガとの間で輸液チューブを狭持し、フィンガから受ける過負荷を逃がす機構を備えた押圧板４２４が設けられる。
これらの各機構の個数や位置については、適宜変更することが可能であるし、さらに一般的な輸液ポンプに設けられる種々の機構を設けることもできる。
【００３４】
輸液装置４には、ハウジング４１に本発明のクランプ１を装着可能なクランプ装着部５が設けられ、ドア部材４２にクランプ装着部５に装着されたクランプ１を閉塞状態と解除状態の間で変形させるための、ドアレバー４２２と連動するクランプ操作部６が設けられている。本発明のクランプ１は、クランプ装着部５に装着され、ドア部材４２が閉鎖された後、クランプ操作部６を操作することによって、クランプ１を閉塞状態と解除状態の間で変形させることが可能である。
【００３５】
図８は、輸液装置４のクランプ装着部５およびクランプ操作部６を説明するための斜視図である。図８では、輸液装置４に設けられるクランプ装着部５およびクランプ操作部６以外の機構については、説明のために記載を省略している。
クランプ装着部５は、輸液装置４のハウジング４１の台座４３上に設けられており、クランプ１の第１脚部２１を保持するためのクランプガイド５１、クランプ１の第２脚部２２を第１脚部２１に近づけるように押圧するためのクランプ部材５２、およびクランプ部材５２が第２脚部を押圧するよう付勢しうるバネ部材５３を備えてなる。
一方、クランプ操作部６は、ドア部材４２の下部に設けられており、ドアレバー４２２の一部に設けられた押圧面６１、押圧面６１により回動させられる第１回動部材６２、第１回動部材６２と連動し、第１回動部材６２の回動により回動する第二回動部材６３、第二回動部材６３の回動を抑制するバネ部材６４、およびドア部材４２が閉鎖された状態で、クランプ部材５２をクランプ１の第２脚部２２から離間するよう押圧するための押圧片６５を備えてなる。
【００３６】
図９は、輸液装置４に設けられるクランプ装着部５とクランプ操作部６のみを示す斜視図である。クランプ装着部５を構成するクランプガイド５１は、薄板状部材であり、ハウジング４１の台座４３上に、一端がハウジング４１のドア部材４２側の面に面一あるいはわずかにドア部材４２側に突出するよう配置され、他端はハウジング４１の内部に配置される。
クランプガイド５１はクランプ装着部５にクランプ１が装着される際に、クランプ１の第１脚部２１を案内し、支持するためのものである。したがって、クランプガイド５１には、装着されるクランプ１の第１脚部２１の下部を支えるための底面部５１１、第１脚部２１の外側面を支えるための側面部５１２、第１脚部２１の上部を支えるための天面部５１３が構成される。
【００３７】
さらに、クランプガイド５１のクランプ１が配置される側には、クランプ１がクランプ装着部５内で位置ずれすることを防止するために、クランプ１を確実に保持するための保持板５１４が設けられてもよい。保持板５１４は、前記天面部５１３のクランプが配置される側の面に設けられ、側面部５１２との間に、クランプ１の第１脚部２１に設けられるリブ２１２を保持するための溝５１５を形成する。この溝５１５により、クランプ１の装着操作がより容易になり、またクランプ１を正しい位置に保持することが可能である。前記溝５１５が設けられる位置は、第１脚部２１に設けられるリブ２１２の位置に応じて適宜変更される。
さらに、クランプガイド５１のドア部材４２側端部には、クランプ１の第１脚部２１に設けられた保護カバー２８を配置可能な開口部５１６が形成される。クランプ１はクランプ装着部５に装着される際、保護カバー２８が開口部５１６の奥側面に当接するまでハウジング４１内に挿入される。これにより、クランプ１を容易に挿入方向における正しい位置に配置させることができる。
【００３８】
クランプ装着部５を構成するクランプ部材５２は棒状部材であり、ハウジング４１の台座４３上にカム軸５２１により回動可能に設けられる。クランプ部材５２の一端はハウジング４１のドア部材４２側面からわずかに突出し、他端はハウジング４１の内部に配置される。クランプ１が装着される前の状態で、クランプ部材５２は、クランプガイド５１と一定の距離だけ離間した状態で平行に配置されている。クランプ部材５２のハウジング４１から突出した一端は、クランプガイド５１から離れる方向に回動することができる。
クランプ部材５２はクランプ装着部５にクランプ１が装着される際に、クランプ１の第２脚部２２を支持し、第２脚部２２を第１脚部２１に近づくように押圧するためのものである。したがって、クランプ部材５２には、装着されるクランプ１の第２脚部２２の下部を支えるための底面部５２２、第２脚部２２の外側面を支えるための側面部５２３、第２脚部２２の上部を支えるための天面部５２４が構成される。さらに、クランプ部材５２のクランプ１が配置される側には、クランプ１の第２脚部２２に設けられる第２弾性部２６４を配置可能な開口部５２５が形成される。これにより、クランプ部材５２は、第２弾性部２６４を押圧することなく、第２脚部２２の外側の面を押圧することが可能になり、クランプ１の係合手段が不必要に解除されることを防止する。
【００３９】
前記クランプ部材５２のクランプ１が配置される側とは反対側には、バネ部材５３が配置されている。バネ部材５３は、硬鋼、ピアノ線、炭素鋼、ステンレス鋼等で形成されたコイルバネや圧縮バネであり、一端がクランプ部材５２に接続され、他端がハウジング４１の台座４３に配設されたバネ固定部材５３１に接続されている。バネ部材５３は、自然状態ではクランプ部材５２をクランプ１がクランプ装着部５に装着される前の状態、すなわちクランプガイド５１と平行に配置されている。クランプ１がクランプガイド５１とクランプ部材５２の間に装着され、ドア部材４２が閉められると、クランプ部材５２はドア部材４２に設けられた押圧片６５によって押圧され、カム軸５２１を支点としてクランプ１の第２脚部から離間するよう回動させられる。このときバネ部材５３は圧縮され、クランプ部材５２が第２脚部を押圧するよう付勢するため、ドア部材４２を開放すると再びクランプ部材５２はクランプ１の第２脚部２２を押圧する。これにより、クランプ１はドア部材４２の開放により速やかに閉塞状態に変形されるため、操作者が輸液装置３から輸液チューブを取り外す際には、確実にクランプ１は閉塞されており、フリーフローが発生する恐れがない。
【００４０】
図１０は、輸液装置４に設けられるクランプ装着部５の、クランプ１が装着された状態を示す斜視図である。クランプ１は、クランプガイド５１の溝５１５に第１脚部２１のリブ２１２を挿入しながら、クランプガイド５１とクランプ部材５２との間隙に第１弾性部２３を奥にした状態で挿入される。装着時にクランプ１は図４に示されるような閉塞状態であり、操作者によって把持部２９が把持された状態で装着される。保護カバー２８がクランプガイド５１の開口部５１６に挿入され、保護カバー２８が開口部５１６の奥側面に当接すると、クランプ１の装着は完了する。この状態で、クランプ部材５２の側面部５２３は、クランプ１の第２脚部２２の外側面に接触していても良いが、第２脚部２２を押圧することはない。
【００４１】
図１１は、ドア部材４２とクランプ操作部６を示す斜視図である。図９および図１１に示されるように、ドアレバー４２２はドア部材４２に回動可能に設けられており、一端はドア部材４２のハウジング４１側に、他端はドア部材４２のハウジング４１側とは反対側、すなわち輸液装置１の外側に配置されている。ドアレバー４２２のハウジング４１側に配置される一端には、鉤部４２５が形成されており、ドア部材４２が閉められた状態でドアレバー４２２を回動させ、前記鉤部４２５をハウジング４１に設けられたフック４１２に係合させることで、ドア部材４２は閉鎖された状態を保持される。
【００４２】
ドアレバー４２２の輸液装置１の外側に配置される他端には、操作時に把持する把持部４２６とは別に、クランプ操作部６を操作するための押圧面６１がドアレバー４２２と一体的に形成される。ドアレバー４２２の把持部４２６がドア部材４２をロックするためにドア部材４２に向かって回動させられるとき、ドアレバー４２２に設けられた押圧面６１もまた回動し、ドア部材４２に設けられた開口部４２７を通過する。前記押圧面６１は、ドアレバー４２２の鉤部４２５がハウジング４１のフック４１２に係合した時に、ドア部材４２のハウジング４１側に配置されるものであれば、その形状は限定されない。
【００４３】
ドア部材４２のハウジング４１側下部には、前記ドア部材４２の開口部４２７に面する位置に第１回動部材６２が設けられる。第１回動部材６２は、中心付近がカム軸６２１によってドア部材４２に回動可能に設けられたＬ字状に折れ曲がった部材であり、一端６２２が開口部４２７付近に、他端６２３がドア部材４２から離れた位置に配置される。ドアレバー４２２がフック４１２に係合し、押圧面６１が開口部４２７を通過することにより、押圧面６１は第１回動部材６２の一端６２２を押圧し、第１回動部材６２は回動する。このとき他端６２３はドア部材４２に近づくように回動し、第１回動部材６２に隣接するようドア部材４２に設けられた第２回動部材６３を押圧する。
【００４４】
前記第２回動部材６３もまた、第１回動部材６２と同様Ｌ字状に折れ曲がった部材であり、中心付近がカム軸６３１によってドア部材４２に回動可能に設けられている。第２回動部材６３の一端６３２はドア部材４２側に、他端の押圧端６３３はドア部材から離れた位置に配置される。第１回動部材６２が回動することにより、第１回動部材６２の他端６２３がドア部材４２側に移動すると、他端６２３は第２回動部材６３の一端６３２をドア部材４２側に押圧する。これにより第２回動部材６３もまた回動し、押圧端６３３はドア部材４２から離れる方向に移動する。
【００４５】
第２回動部材６３には、一端が押圧端６３３に、他端がドア部材４２に固定されたバネ部材６４が設けられる。前記バネ部材６４には、上述したクランプ部材５２に設けられるバネ部材５３と同様の素材からなるコイルバネまたは圧縮バネが用いられる。バネ部材６４は、自然状態では第２回動部材６３が回動する前、すなわち押圧端６３３が最もドア部材４２側に位置する状態で配置されている。ドアレバー４２２の回動により第２回動部材６３が回動すると、押圧端６３３はドア部材４２から離れる方向に移動し、このときバネ部材６４は伸長し、押圧端６３３をドア部材４２側に移動させるよう付勢する。したがって、ドアレバー４２２がフック４１２との係合を解除するよう回動すると、直ちに第２回動部材６３は押圧端６３３がドア部材４２側に移動するよう回動させられる。このようにバネ部材６４により回動を抑制されることにより、第２回動部材の押圧端６３３を、ドア部材４２のロック機構の解除とともにクランプ１が閉塞状態に変形可能な状態に速やかに移動させることができる。したがって、クランプ部材５２の第２脚部２２に対する押圧力が小さくなり、クランプ１にかかる負荷を小さくすることができる。
前記第２回動部材６３の押圧端６３３には、上下方向の中間部分に切り欠き部６３４が設けられる。この切り欠き部６３４は、ドア部材４２が閉じられたときに、押圧端６３３がクランプ１の把持部２９および保護カバー２８を押圧することなく、かつ係合突起２６の傾斜部２６２を押圧することができるように設けられているものである。
【００４６】
クランプ操作部６を構成する押圧片６５は、第２回動部材よりもドア部材４２のヒンジ４２１側に設けられたくさび形片であり、その先端はドア部材４２からハウジング４１側へ突出するよう配置されている。押圧片６５はその先端から、ドア部材４２のヒンジ４２１側へと傾斜する傾斜面６５１を備えてなる。押圧片６５は、ドア部材４２が閉められる際に、傾斜面６５１がクランプ装着部５のクランプ部材５２に当接し、クランプ部材５２を第２脚部２２から離間するよう押圧するものである。これにより、クランプ１の傾斜部２６２が押圧端６３３によって閉塞状態から解除状態に変形する際に、第２脚部２２が第１脚部から離間する動作をクランプ部材５２が阻止することを防止できる。
押圧片６５には、先端部から傾斜面６５１にかけて上下方向の中間部分に切り欠き部６５２が設けられる。この切り欠き部６５２は、ドア部材４２が閉じられたときに、押圧片６５がクランプ１の把持部２９を押圧することを防ぐために設けられるものである。
【００４７】
次に、本発明のクランプ１を輸液装置４に装着してアンチフリーフロークランプとして使用する際の操作方法を説明する。図１２〜図１５は、輸液装置４に設けられたクランプ装着部５およびクランプ操作部６部分の動作説明図である。図中では、クランプ１の動作を説明するために、クランプ装着部５およびクランプ操作部６を構成する部品の一部は記載が省略されている。
本発明のクランプ１は、図６に示されるように、予め輸液セット３の輸液チューブ３１をチューブ挿通部２５２に挿通した状態で提供され、使用前の状態ではクランプ１は図３に示されるように解除状態で配置されている。輸液セット３の使用に当たって、操作者はクランプ１の第１脚部２１の外側面と第２脚部２２の外側面とを保持し、両者を接近させるように押圧させる。これにより、係合突起２６の後部面２６３が係合孔２７の縁部と係合して、クランプ１は図４に示される閉塞状態になる。
【００４８】
輸液準備段階で閉塞状態のクランプ１を配置した輸液セット３は、ドア部材４２が開放された状態の輸液装置４のハウジング４１に装着され、クランプ１はクランプ装着部５に装着される。このとき、操作者はクランプ１の把持部２９を把持し、第１弾性部２３を奥にした状態で、クランプガイド５１の溝５１５に第１脚部２１のリブ２１２を挿入し、図１２に示すクランプ装着完了状態になる。クランプ１の閉塞状態を維持するための係合手段による係合の解除は、係合突起２６の傾斜部２６２を押圧することにより行われるが、この傾斜部２６２は把持部２９から離間しているため、クランプ１をクランプ装着部５に装着する際に誤ってクランプ１の係合が解除されるおそれはない。
この状態では、クランプ１は閉塞状態を維持しており、クランプ装着部５のクランプ部材５２は、閉塞状態のクランプ１の第２脚部２２を支持するよう、クランプガイド５１と平行に配置されているが、第２脚部２２を押圧することはない。
【００４９】
クランプ１の装着が完了すると、ドア部材４２が閉鎖される。ドア部材４２がハウジング４１に近づくと、図１３に示されるように、最初にクランプ操作部６の押圧片６５の先端部がクランプ部材５２のハウジング４１から突出した一端に接する。さらにドア部材４２がハウジング４１に近づくと、押圧片６５の先端部はクランプ部材５２を押圧し、クランプ部材５２はバネ部材５３が圧縮することでクランプ１の第２脚部２２から離間するよう回動させられる。このとき、押圧片６５には切り欠き部６５２が設けられているため、押圧片６５がクランプ１の把持部２９を押圧することはない。また、クランプ操作部６の第２回動部材６３の押圧端６３３にも切り欠き部６３５が設けられているため、押圧端６３３がクランプ１の把持部２９や保護カバー２８を押圧することはない。ドア部材４２が完全に閉鎖されると、図１４に示されるドア閉鎖状態になる。
【００５０】
図１４に示されるドア閉鎖状態では、クランプ１は閉塞状態を維持している。輸液装置４により輸液を開始する際には、クランプ１は開放状態にならなければならない。そこで、ドアレバー４２２を回動してドア部材４２をロックすることにより、クランプ１を閉塞状態から解除状態に変形させる。具体的には、図１５に示されるように、ドアレバー４２２が回動することにより、ドアレバー４２２に設けられた押圧面６１がドア部材４２の開口部４２７を通過して第１回動部材６２の一端６２２を押圧し、第１回動部材６２を回動させる。回動した第１回動部材６２の他端６２３は第２回動部材６３の一端６３２を押圧し、第２回動部材６３を回動させる。第２回動部材６３の回動により、押圧端６３３がドア部材４２から離れる方向に移動し、クランプ１の係合突起２６に設けられた傾斜部２６２を押圧する。これにより、クランプ１の係合突起２６と係合孔２７との係合は解除され、クランプ１は解除状態になる。
本発明の輸液装置は、クランプ１を解除状態に変形させるクランプ操作部６をドア部材のロック機構と連動させることにより、ドアを閉鎖する操作の途中でクランプによる輸液チューブの閉塞が解除されてフリーフローが発生するおそれがない。
【００５１】
図１５に示されるドアロック状態で輸液が行われ、輸液終了後に輸液セット３を輸液装置４から取り外す操作は、輸液準備操作と逆の手順により行われる。図１５に示されるドアロック状態では、クランプ操作部６のバネ部材６４は伸長し、第２回動部材６３の押圧端６３３をドア部材４２側に移動させるよう付勢されている。この状態でドアレバー４２２を回動させてドアのロックを解除すると、バネ部材６４は直ちに押圧端６３３がドア部材４２側へ移動するよう第２回動部材６３を回動させる。このとき、クランプ１はいまだ解除状態のままである。
【００５２】
ドア部材４２が開放されると、クランプ操作部６の押圧片６５によるクランプ装着部５のクランプ部材５２の押圧は解除され、圧縮されたバネ部材５３によりクランプ部材５２はクランプ１の第２脚部２２を押圧するよう付勢され、クランプ１は係合突起２６と係合孔２７が係合することにより閉塞状態に変形する。その後、操作者はクランプ機構４１６によるチューブの閉塞を解除し、再びクランプ１の把持部２９を把持してクランプ１をクランプ装着部５から引き抜いて輸液セット３を輸液装置４から取り外す。輸液セット３の輸液チューブ３１は、ドア部材４２の開放と同時にクランプ１によって閉塞されているため、アンチフリーフローが発生するおそれはない。ここでもまた、クランプ１の閉塞状態を維持するための係合手段による係合を解除する傾斜部２６２は、操作者が把持する把持部２９から離間しているため、クランプ１をクランプ装着部５から引き抜く際に操作者が誤ってクランプ１の係合を解除するおそれはない。
【００５３】
以上のように、本発明のクランプは、操作者が操作時に誤ってクランプによる閉塞を解除してしまうおそれがなく、クランプの落下等によりクランプによる輸液チューブの閉塞が解除されるおそれもない。しかしながら、必要に応じて容易にクランプによる輸液チューブの閉塞を解除することが可能であり、輸液装置のアンチフリーフロー機構に対応しうるクランプを提供するものである。
【図面の簡単な説明】
【００５４】
【図１】本発明のクランプの一実施例を示す斜視図である。
【図２】図１に示されるクランプを別の角度から見た斜視図である。
【図３】図１に示されるクランプの解除状態を示す上部平面図である。
【図４】図１に示されるクランプの閉塞状態を示す上部平面図である。
【図５】本発明のクランプの他の実施例の閉塞状態を示す上部平面図である。
【図６】本発明のクランプを備えた輸液セットの概略図である。
【図７】本発明のクランプを装着可能な輸液装置の一例を示す説明図である。
【図８】図７に示される輸液装置の部分斜視図である。
【図９】図７に示される輸液装置の部分斜視図である。
【図１０】図７に示される輸液装置に設けられるクランプ装着部の斜視図である。
【図１１】図７に示される輸液装置に設けられるクランプ操作部の斜視図である。
【図１２】図７に示される輸液装置のクランプ装着完了状態を示す動作説明図である。
【図１３】図７に示される輸液装置のドア閉鎖開始直後の状態を示す動作説明図である。
【図１４】図７に示される輸液装置のドア閉鎖状態を示す動作説明図である。
【図１５】図７に示される輸液装置のドアロック状態を示す動作説明図。
【符号の説明】
【００５５】
１      クランプ
２１    第１脚部
２１２  リブ
２２    第２脚部
２２１  チューブ閉塞突部
２３    第１弾性部
２４    内部空間
２５１  チューブ閉塞面
２５２  チューブ挿通部
２５３  孔部
２５４  チューブ案内板
２６    係合突起
２６１  基部
２６２  傾斜部
２６３  後部面
２６４  第２弾性部
２７    係合孔
２８    保護カバー
２９    把持部
３      輸液セット
３１    輸液チューブ
４      輸液装置
４１    ハウジング
４１２  フック
４２    ドア部材
４２２  ドアレバー
４２５  鉤部
４２６  把持部
４２７  開口部
４３    台座
５      クランプ装着部
５１    クランプガイド
５１５  溝
５１６  開口部
５２    クランプ部材
５２１  カム軸
５２５  開口部
５３    バネ部材
５３１  バネ固定部材
６      クランプ操作部
６１    押圧面
６２    第１回動部材
６２１  カム軸
６３    第２回動部材
６３１  カム軸
６３３  押圧端
６３４  切り欠き部
６４    バネ部材
６５    押圧片
６５１  傾斜面
６５２  切り欠き部
【図１】
0005200498.tif 000002
【図２】
0005200498.tif 000003
【図３】
0005200498.tif 000004
【図４】
0005200498.tif 000005
【図５】
0005200498.tif 000006
【図６】
0005200498.tif 000007
【図７】
0005200498.tif 000008
【図８】
0005200498.tif 000009
【図９】
0005200498.tif 000010
【図１０】
0005200498.tif 000011
【図１１】
0005200498.tif 000012
【図１２】
0005200498.tif 000013
【図１３】
0005200498.tif 000014
【図１４】
0005200498.tif 000015
【図１５】
0005200498.tif 000016